(57)【要約】【課題】略キャップ状の蓋体の開口端付近に形成された内方突起が鉗子栓本体の外周部に形成された大径部を確実に乗り越えて、蓋体を鉗子栓本体に対しスムーズに取り付けることができる内視鏡の鉗子栓を提供すること。【解決手段】蓋体１２が鉗子栓本体１１に取り付けられる動作の途中において、鉗子栓本体１１側に形成された円錐面３１に当接する蓋体１２側の内方突起２３の端面が円錐孔面３２状に形成されて、その円錐孔面３２の開口端部の内径Ｅが円錐面３１の外径ｅより大きく形成されている。【選択図】      図１
2008278905.tif 000002
【特許請求の範囲】
【請求項１】
基部が内視鏡の処置具挿通チャンネル（３）の入口部分に取り付けられる鉗子栓本体（１１）と、その鉗子栓本体（１１）に対し被さった状態に着脱自在に取り付けられる略キャップ状の蓋体（１２）とが共に弾力性のある材料により形成されて、上記処置具挿通チャンネル（３）に挿通される処置具により押し開かれる閉鎖膜（１６，１７）が上記鉗子栓本体（１１）と上記蓋体（１２）とに設けられた内視鏡の鉗子栓であって、
上記鉗子栓本体（１１）の外周部の周方向に外周溝（２１）が形成されて、その外周溝（２１）に対して係脱自在な環状の内方突起（２３）が上記蓋体（１２）の開口端部に内方に向けて突出形成されると共に、上記鉗子栓本体（１１）の外周面が頂部（１１ａ）側から基部側へ次第に径が窄まる逆テーパ状に形成されて、その部分と上記外周溝（２１）との間の部分に上記頂部（１１ａ）より外径の大きな大径部（２６）が形成され、
上記大径部（２６）の両端面のうちの頂部側端面が円錐面（３１）状に形成されると共に、上記蓋体（１２）が上記鉗子栓本体（１１）に取り付けられる際には、上記蓋体（１２）の内方突起（２３）が、上記鉗子栓本体（１１）の円錐面（３１）に当接してから上記太径部（２６）を乗り越えて上記外周溝（２１）に係合するように構成された内視鏡の鉗子栓において、
上記蓋体（１２）が上記鉗子栓本体（１１）に取り付けられる動作の途中において上記円錐面（３１）に当接する上記内方突起（２３）の端面が円錐孔面（３２）状に形成されて、その円錐孔面（３２）の開口端部の内径（Ｅ）が、上記鉗子栓本体（１１）の大径部（２６）の頂部側端面に形成された円錐面（３１）の外径（ｅ）より大きく形成されていることを特徴とする内視鏡の鉗子栓。
【発明の詳細な説明】
【技術分野】
【０００１】
この発明は、内視鏡の処置具挿通チャンネルを通じて体内汚液等が内視鏡外に噴出しないように処置具挿通チャンネルの入口部分を弾力的にシールするための内視鏡の鉗子栓に関する。
【背景技術】
【０００２】
内視鏡の鉗子栓は一般に、例えば図８に示されるように、基部が内視鏡の処置具挿通チャンネル１００の入口部分に取り付けられる鉗子栓本体９１と、その鉗子栓本体９１に対し被さった状態に着脱自在に取り付けられる略キャップ状の蓋体９２とが共に弾力性のある材料により形成されて、処置具挿通チャンネル１００に挿通される処置具により押し開かれるスリット９３又は小孔９４が形成された閉鎖膜が蓋体９２と鉗子栓本体９１とに設けられている。
【０００３】
そして、鉗子栓本体９１の外周部の全周に外周溝９５が形成されて、その外周溝９５に対して係脱自在な環状の内方突起９６が蓋体９２の開口端付近の内周部全周から内方に向けて突出形成されている。
【０００４】
その結果、蓋体９２が上方から押し込まれて鉗子栓本体９１に被さった状態に取り付けられる際には、蓋体９２の内方突起９６部分が、鉗子栓本体９１の外周部に沿って押し広げられて弾性変形した状態でスライドしてから外周溝９５に係合する（例えば、特許文献１）。
【０００５】
しかし、上述のような内視鏡の鉗子栓においては、図９に示されるように、体内から処置具挿通チャンネル１００内を通ってくる体内汚液等の突発的な圧力上昇（いわゆる水撃作用）等により、外周溝９５に対する内方突起９６の係合が外れて蓋体９２が鉗子栓本体９１から外れ、汚液が周囲に飛散してしまう場合がある。
【０００６】
その対策としては、内方突起９６と外周溝９５との係合力を非常に大きくして、内方突起９６が外周溝９５から容易に外れないようにすればよいが、単純にそのようにすると鉗子栓本体９１に対する蓋体９２の着脱が困難になって、着脱時に蓋体９２を破損し易くなる等の問題が生じる。
【０００７】
そこで、本件の発明者は、図１０に示されるように、鉗子栓本体９１の外周面９７を頂部側から基部側へ次第に径が窄まった逆テーパ状に形成すると共に、その部分と外周溝９５との間の部分に周囲より外径の大きな大径部９８を形成することで、使用時には蓋体９２が水撃作用等で簡単に外れることがなく、しかも蓋体９２を鉗子栓本体に９１に対し比較的容易に着脱することができる内視鏡の鉗子栓を発明して、先に特許出願してある（特願２００６−３３７７９２）。
【特許文献１】特開２００１−２１８７３２
【発明の開示】
【発明が解決しようとする課題】
【０００８】
特願２００６−３３７７９２に記載された発明では、蓋体９２を鉗子栓本体９１に被さった状態に取り付ける動作の途中において、蓋体９２の内方突起９６部分が大径部９８に引っ掛かってしまわないよう、大径部９８の両端面のうちの頂部側端面９９を円錐面状に形成して（以下、「円錐面９９」という）、内方突起９６がスムーズに大径部９８を乗り越えることができるように配慮してある。
【０００９】
図１１は、蓋体９２を上方から押し込んで鉗子栓本体９１に被せていく途中で、蓋体９２の内方突起９６が鉗子栓本体９１の円錐面９９に差しかかった状態を示しており、円錐面９９に当接する内方突起９６側の端面も円錐面９９に対向する円錐孔面状に形成されている。
【００１０】
しかし、その状態からさらに蓋体９２が鉗子栓本体９１に押し付けられると、図１２に内方突起９６部分が拡大図示されるように、内方突起９６側の外縁Ｐが円錐面９９の途中に位置していることにより（Ａ）、その位置Ｐを支点にして内方突起９６の周囲がでんぐり返しをする状態に弾性変形してしまい（Ｂ）、蓋体９２が弾性変形するだけで内方突起９６が大径部９８を乗り越えることができない場合があった。
【００１１】
本発明は、略キャップ状の蓋体の開口端付近に形成された内方突起が鉗子栓本体の外周部に形成された大径部を確実に乗り越えて、蓋体を鉗子栓本体に対しスムーズに取り付けることができる内視鏡の鉗子栓を提供することを目的とする。
【課題を解決するための手段】
【００１２】
上記の目的を達成するため、本発明の内視鏡の鉗子栓は、基部が内視鏡の処置具挿通チャンネル（３）の入口部分に取り付けられる鉗子栓本体（１１）と、その鉗子栓本体（１１）に対し被さった状態に着脱自在に取り付けられる略キャップ状の蓋体（１２）とが共に弾力性のある材料により形成されて、処置具挿通チャンネル（３）に挿通される処置具により押し開かれる閉鎖膜（１６，１７）が鉗子栓本体（１１）と蓋体（１２）とに設けられた内視鏡の鉗子栓であって、鉗子栓本体（１１）の外周部の周方向に外周溝（２１）が形成されて、その外周溝（２１）に対して係脱自在な環状の内方突起（２３）が蓋体（１２）の開口端部に内方に向けて突出形成されると共に、鉗子栓本体（１１）の外周面が頂部（１１ａ）側から基部側へ次第に径が窄まる逆テーパ状に形成されて、その部分と外周溝（２１）との間の部分に頂部（１１ａ）より外径の大きな大径部（２６）が形成され、大径部（２６）の両端面のうちの頂部側端面が円錐面（３１）状に形成されると共に、蓋体（１２）が鉗子栓本体（１１）に取り付けられる際には、蓋体（１２）の内方突起（２３）が、鉗子栓本体（１１）の円錐面（３１）に当接してから太径部（２６）を乗り越えて外周溝（２１）に係合するように構成された内視鏡の鉗子栓において、蓋体（１２）が鉗子栓本体（１１）に取り付けられる動作の途中において円錐面（３１）に当接する内方突起（２３）の端面が円錐孔面（３２）状に形成されて、その円錐孔面（３２）の開口端部の内径（Ｅ）が、鉗子栓本体（１１）の大径部（２６）の頂部側端面に形成された円錐面（３１）の外径（ｅ）より大きく形成されているものである。
【発明の効果】
【００１３】
本発明によれば、蓋体が鉗子栓本体に取り付けられる動作の途中において鉗子栓本体側の円錐面に当接する蓋体側の内方突起の端面が円錐孔面状に形成されて、その円錐孔面の開口端部の内径が、鉗子栓本体の大径部の頂部側端面に形成された円錐面の外径より大きく形成されていることにより、内方突起が、円錐面に沿って滑って広がる状態にスムーズに弾性変形するので、蓋体の開口端付近に形成された内方突起が鉗子栓本体の外周部に形成された大径部を確実に乗り越えて、蓋体を鉗子栓本体に対しスムーズに取り付けることができる。
【発明を実施するための最良の形態】
【００１４】
基部が内視鏡の処置具挿通チャンネルの入口部分に取り付けられる鉗子栓本体と、その鉗子栓本体に対し被さった状態に着脱自在に取り付けられる略キャップ状の蓋体とが共に弾力性のある材料により形成されて、処置具挿通チャンネルに挿通される処置具により押し開かれる閉鎖膜が鉗子栓本体と蓋体とに設けられた内視鏡の鉗子栓であって、鉗子栓本体の外周部の周方向に外周溝が形成されて、その外周溝に対して係脱自在な環状の内方突起が蓋体の開口端部に内方に向けて突出形成されると共に、鉗子栓本体の外周面が頂部側から基部側へ次第に径が窄まる逆テーパ状に形成されて、その部分と外周溝との間の部分に頂部より外径の大きな大径部が形成され、大径部の両端面のうちの頂部側端面が円錐面状に形成されると共に、蓋体が鉗子栓本体に取り付けられる際には、蓋体の内方突起が、鉗子栓本体の円錐面に当接してから太径部を乗り越えて外周溝に係合するように構成された内視鏡の鉗子栓において、蓋体が鉗子栓本体に取り付けられる動作の途中において円錐面に当接する内方突起の端面が円錐孔面状に形成されて、その円錐孔面の開口端部の内径が、鉗子栓本体の大径部の頂部側端面に形成された円錐面の外径より大きく形成されているものである。
【実施例】
【００１５】
以下、図面を参照して本発明の実施例を説明する。
図５において、１は、可撓性を有する内視鏡の挿入部、２は、挿入部１の基端に連結された操作部である。
【００１６】
挿入部１内には、図示されていない処置具を挿通するための処置具挿通チャンネル３が全長にわたり挿通配置されていて、操作部２の下端部付近に配置された処置具挿通チャンネル３の入口開口部には、処置具挿通チャンネル３を通って逆流する体内汚液等が外方に吹き出さないようにするための鉗子栓１０が取り付けられている。１１は鉗子栓本体、１２と１４は、後述する蓋体と連結帯状部材である。
【００１７】
図１と図２は、蓋体１２が鉗子栓本体１１から外された状態の鉗子栓１０の縦断面図と斜視図であり、図３と図４は、蓋体１２が鉗子栓本体１１に取り付けられた状態の鉗子栓１０の縦断面図と斜視図である。
【００１８】
図３に示されるように、鉗子栓１０は、処置具挿通チャンネル３の入口口金３ａに着脱自在に取り付けられる略円筒状に形成された鉗子栓本体１１と、鉗子栓本体１１の頂部１１ａの処置具挿入口１５側から鉗子栓本体１１に対し被さった状態に着脱自在に取り付けられる略円筒キャップ状の蓋体１２とを備えていて、全体が弾力性のあるゴム材等によって構成されている。
【００１９】
鉗子栓本体１１の内面の基端寄りの部分には、処置具挿通チャンネル３の入口口金３ａに対して係脱自在な括れ部１３が形成されており、括れ部１３を弾性変形させて、入口口金３ａを締め付ける状態に取り付け及び取り外すことができる。
【００２０】
蓋体１２は、鉗子栓本体１１及び蓋体１２と一体に形成された連結帯状部材１４で鉗子栓本体１１の基部と連結されていて、蓋体１２が鉗子栓本体１１から取り外されてもその近くにぶら下げられた状態になるようになっている。
【００２１】
鉗子栓本体１１内と蓋体１２には、各々閉鎖膜１６，１７が形成されていて、鉗子栓本体１１内の閉鎖膜１６には、処置具挿通チャンネル３に挿通される処置具により押し開かれる小孔１８が形成され、蓋体１２の閉鎖膜１７には、処置具挿通チャンネル３に挿通される処置具により押し開かれるスリット１９が形成されている。ただし、小孔１８とスリット１９の組合せ等は適宜でよい。
【００２２】
その結果、蓋体１２が鉗子栓本体１１に取り付けられて処置具が使用されない図３に示される状態では、蓋体１２の閉鎖膜１７に形成されたスリット１９により、処置具挿通チャンネル３内から体内汚液等が噴出しないように封止される。
【００２３】
そして、図示されていない処置具が処置具挿通チャンネル３に挿脱されると、小孔１８とスリット１９により処置具の外周部との間がシールされ、注射器で処置具挿通チャンネル３内に薬液等を送り込む場合には、蓋体１２の入口部に形成された小径部２０が注射筒の先端部分を締め付けることにより、注射器の支持とシールが行われる。
【００２４】
鉗子栓本体１１の基端寄りの位置の外周部には、外周溝２１が全周にわたって凹んだ状態に円周方向に形成されている。そして、鉗子栓本体１１の外周を囲む状態に、蓋体１２側に環状壁２２が形成され、外周溝２１に対して全周にわたり係合させることができる環状の内方突起２３が、環状壁２２の開口端部２２ｂの内周部全周から内方（径方向において内方）に向けて突出形成されている。
【００２５】
内方突起２３は、環状壁２２を弾性変形させて外周溝２１に対し係脱させることができ、内方突起２３を外周溝２１に係合させることで、蓋体１２が鉗子栓本体１１から外れるのを阻止する抜け止めになる。
【００２６】
鉗子栓本体１１の外周部の上半部は、頂部１１ａ側から次第に径が窄まった逆テーパ筒部２９になっていて、その逆テーパ筒部２９に被さる蓋体１２の内周面（即ち、環状壁２２の内周面の上半部）が、鉗子栓本体１１の頂部１１ａでは鉗子栓本体１１を締め付けず、逆テーパ筒部２９では頂部１１ａから遠ざかるにしたがって鉗子栓本体１１に対する締め付け量が大きくなる逆テーパ孔部３０になっている。
【００２７】
そのようにするために、図１に示されるように、蓋体１２の逆テーパ孔部３０の頂部の内径Ｄが、鉗子栓本体１１の頂部１１ａの外径ｄと等しいか大きく形成され、逆テーパ孔部３０のテーパ角θ２が、逆テーパ筒部２９のテーパ角θ１より大きく形成されている。即ち、Ｄ≧ｄ、且つθ２＞θ１である。
【００２８】
鉗子栓本体１１の外周部の中間部分には、逆テーパ筒部２９と外周溝２１との間の位置に、周囲より外径の大きな大径部２６が形成されている。大径部２６の外径ｅは鉗子栓本体１１のその周囲の外径及び頂部１１ａの外径ｄより大きく、図１においてｅ＞ｄである。
【００２９】
そして、大径部２６の両端面のうちの頂部側端面３１が、上方が窄まった円錐面状に形成されており（以下、「円錐面３１」という）、その円錐面３１の頂角を、図１に示されるようにδ１とする。また、円錐面３１の外径＝大径部２６の外径ｅである。
【００３０】
また、蓋体１２が鉗子栓本体１１に取り付けられる動作の途中において円錐面３１に当接する蓋体１２側の内方突起２３の開口部端面（即ち、環状壁２２の下端面の内周縁部）には、全周に、上方が窄まったすり鉢状の円錐孔面状に形成されており（以下、「円錐孔面３２」という）、その頂角を図１に示されるようにδ２とする。
【００３１】
そのように形成された円錐孔面３２の頂角δ２は、円錐面３１の頂角δ１より大きく形成されている。即ち、δ２＞δ１である。また、円錐孔面３２の開口端部の内径Ｅが、円錐面３１の外径ｅより大きく形成されている。即ち、Ｅ＞ｅである。
【００３２】
なお、大径部２６の外周部の一箇所又は複数箇所には、蓋体１２の内方突起２３部分が弾性変形してスライドする際に鉗子栓本体１１の外周部と蓋体１２の環状壁２２とで囲まれた空間を外部と連通させる通気溝２７が形成されている。
【００３３】
このように構成された実施例の内視鏡の鉗子栓１０は、図３に示されるように、蓋体１２が鉗子栓本体１１に取り付けられた状態においては、内方突起２３が外周溝２１に係合して鉗子栓本体１１に対する蓋体１２の抜け止めになり、また、鉗子栓本体１１の逆テーパ筒部２９が蓋体１２の逆テーパ孔部３０で締め付けられて、その部分が確実にシールされた状態になっている。
【００３４】
そして、鉗子栓１０が処置具挿通チャンネル３の入口口金３ａに取り付けられた使用状態において、処置具挿通チャンネル３を経由する水撃作用等により蓋体１２内の圧力が急上昇すると、蓋体１２を鉗子栓本体１１に対し上方から引っ張りあげようとする強い力が作用するが、それによって、鉗子栓本体１１の逆テーパ筒部２９に対する蓋体１２の逆テーパ孔部３０の締め付け量が益々大きくなる。
【００３５】
その結果、鉗子栓本体１１から蓋体１２が抜け出すのを阻止する抜け止め力として、外周溝２１と内方突起２３との係合力だけでなく、逆テーパ筒部２９に対する逆テーパ孔部３０の締め付け力の増大分が直接作用し、蓋体１２が鉗子栓本体１１から外れない。したがって、水撃作用があっても鉗子栓１０から体内汚液等が噴出しない。
【００３６】
そして、図６に示されるように、蓋体１２が上方から押し込まれて鉗子栓本体１１に取り付けられる動作の途中において、蓋体１２側の円錐孔面３２が鉗子栓本体１１側の円錐面３１に当接した状態においては、その部分を拡大図示する図７に示されるように、内方突起２３側の円錐孔面３２の外縁Ｐが大径部２６より外方にはみ出した位置にあるので（Ａ）、蓋体１２がさらに上方から押されると、蓋体１２が大径部２６の外側へ押し下げられていき（Ｂ）、次の瞬間には、内方突起２３が大径部２６を乗り越えて図３に示されるように外周溝２１に係合する状態になる。このようにして、蓋体１２が鉗子栓本体１１に対しスムーズに取り付けられる。
【００３７】
なお、蓋体１２を鉗子栓本体１１単体から取り外す際は、蓋体１２を上方から引っ張りあげるのではなく、下端部の内方突起２３側から押しあげるようにすれば、環状壁２２が樽状に膨らんで容易に取り外すことができ、鉗子栓本体１１が処置具挿通チャンネル３の入口口金３ａに取り付けられた状態では、蓋体１２の鍔状部分を引きあげて外すか、環状壁２２を側方から押すことにより、内方突起２３が支点となってモーメントが働き、鉗子栓本体１１と蓋体１２が共に弾性変形して容易に取り外すことができる。
【図面の簡単な説明】
【００３８】
【図１】本発明の実施例の内視鏡の鉗子栓の蓋体が鉗子栓本体から取り外された状態の縦断面図である。
【図２】本発明の実施例の内視鏡の鉗子栓の蓋体が鉗子栓本体から取り外された状態の外観斜視図である。
【図３】本発明の実施例の内視鏡の鉗子栓の蓋体が鉗子栓本体に取り付けられた状態の縦断面図である。
【図４】本発明の実施例の内視鏡の鉗子栓の蓋体が鉗子栓本体に取り付けられた状態の外観斜視図である。
【図５】本発明の実施例の内視鏡の全体構成を示す側面図である。
【図６】本発明の実施例の内視鏡の鉗子栓の蓋体が鉗子栓本体に取り付けられる途中の状態を示す縦断面図である。
【図７】本発明の実施例の内視鏡の鉗子栓の蓋体が鉗子栓本体に取り付けられる途中の状態の部分拡大断面図である。
【図８】従来の内視鏡の鉗子栓の縦断面図である。
【図９】従来の内視鏡の鉗子栓に水撃が作用した状態の縦断面図である。
【図１０】先願発明の内視鏡の鉗子栓の縦断面図である。
【図１１】先願発明の内視鏡の鉗子栓の蓋体が鉗子栓本体に取り付けられる途中の状態を示す縦断面図である。
【図１２】先願発明の内視鏡の鉗子栓の蓋体が鉗子栓本体に取り付けられる途中の状態の部分拡大断面図である。
【符号の説明】
【００３９】
３  処置具挿通チャンネル
１０  鉗子栓
１１  鉗子栓本体
１１ａ  頂部
１２  蓋体
１６  閉鎖膜
１７  閉鎖膜
２１  外周溝
２３  内方突起
２６  大径部
３１  円錐面
３２  円錐孔面
ｅ  円錐面の外径
Ｅ  円錐孔面の開口端部の内径
【図１】
2008278905.tif 000003
【図２】
2008278905.tif 000004
【図３】
2008278905.tif 000005
【図４】
2008278905.tif 000006
【図５】
2008278905.tif 000007
【図６】
2008278905.tif 000008
【図７】
2008278905.tif 000009
【図８】
2008278905.tif 000010
【図９】
2008278905.tif 000011
【図１０】
2008278905.tif 000012
【図１１】
2008278905.tif 000013
【図１２】
2008278905.tif 000014